【事件の表示】
　特願２０００−３１１８２６「可変品質データ供給システム、可変品質データ再生装置及び記録媒体」拒絶査定不服審判事件〔平成１４年　４月２６日出願公開、特開２００２−１２４９４２〕について、次のとおり審決する。
【結　論】
　本件審判の請求は、成り立たない。
【理　由】
１．手続きの経緯  
　本願は、平成１２年１０月１２日の出願であって、平成１７年５月２７日付けで拒絶理由通知がなされ、同年７月２６日付で手続補正がなされたが、同年８月１１日付けで拒絶査定がなされ、これに対して、同年９月１５日に審判請求がなされるとともに、同年１０月１４日付けで手続補正がなされたが、当審において、平成２０年５月３０日付で前記平成１７年１０月１４日付けの手続補正を却下するとともに拒絶理由通知がなされ、これに対して、同年８月４日付で手続補正がなされたものである。
　
　
２．本願発明 
　本願の請求項３に係る発明（以下、「本願発明」という。）は、平成２０年８月４日付けの手続補正書によって補正された特許請求の範囲の請求項３に記載された、次のとおりのものである。 
　
　「コンテンツのスペクトルを帯域別に表す複数の部分データであって、１個以上のいずれの部分データが選択されても当該選択された部分データのみで再生が可能であるような複数の部分データを所定の順序で取得し、各該部分データのうち少なくともいずれかに対応付けられた復号化キーが供給されたとき当該復号化キーを取得して、取得した部分データのうち、取得した復号化キーに対応付けられた各暗号化された部分データを、当該復号化キーを用いて復号化する復号化手段と、
　復号化された前記部分データに基づき、復号化された当該部分データが表すスペクトルを有し且つ前記復号化されなかった部分データが表すスペクトルが実質的に欠けた前記コンテンツを表すデータを生成することにより、前記コンテンツのうち復号化された部分データが表す部分を表すデータを生成するデータ復元手段と、を備える、ことを特徴とする可変品質データ再生装置。」
　
　
３．引用発明 
　当審による平成２０年５月３０日付けの拒絶理由に引用された刊行物である特開平１１−２７２４０号公報（以下、「引用文献１」という。）には、図面とともに以下の事項が記載されている。
　
（あ）「【００１０】本発明は、このような実情に鑑みてなされたものであり、暗号化の範囲を全体あるいは部分的に選択が可能なディジタルオーディオデータの圧縮の手法を適用し、暗号化されていない情報の添付なしに選択的な復号化を可能とすると共に、異なる品質の情報を効率良く配布可能とし、且つ、複数の暗号化に対して同一の復号化装置で対応が可能なディジタル信号符号化装置及び方法、復号化装置及び方法、記録媒体、並びに伝送方法の提供を目的とするものである。」
　
（い）「【００８２】再び図１において、暗号化回路２１９は適応ビット割当符合化回路２１０より伝送される直行変換されたスペクトルないし、ＭＤＣＴ処理された係数を量子化したデータと量子化の語長を示すワードレングスを暗号鍵制御回路２２２より伝送される暗号化の為のデータ、いわゆる暗号鍵を用いて暗号化し、出力端子２１３に出力している。
【００８３】暗号化回路２２３はブロック決定回路２０６より伝送される直行変換のブロックサイズ情報を暗号鍵制御回路２２２より伝送される暗号化の為のデータ、いわゆる暗号鍵を用いて暗号化し、出力端子２１６に出力している。」
　
（う）「【００９４】次に、図１４に本実施の形態で高能率符合化ならびに暗号化処理を行った後のビットストリームの具体例を示す。この図１４を用いて本実施の形態の符合化の作用について説明する。
【００９５】図１４では、（Ａ）において全て平文、（Ｂ）において高域のみ暗号化、（Ｃ）において中高域を暗号化、並びに、（Ｄ）において全帯域を暗号化した場合のビットストリームの例を示している。
【００９６】図１４（Ａ）に示す様に、暗号化を行わず全て平文とした場合、低中高各々の直交変換出力スペクトルを量子化処理した、いわゆるメインデ−タと、量子化の語長を示すワ−ドレングスと直行変換のブロックサイズ等を表す、いわゆるサブ情報とが記録あるいは伝送される。すなわち、メイン情報としては、低域メイン情報７１１、中域メイン情報７２１、高域メイン情報７３１があり、サブ情報としては、低域サブ情報７１２、中域サブ情報７２２、高域サブ情報７３２がある。この（Ａ）の場合、復号化する際は、該当帯域のサブデータを用いて、後述のデコーダでの手順にしたがって該当帯域のメイン情報を復号化する。
【００９７】これに対して、図１４（Ｂ）に示す様に、高域のメインデータのみ暗号化された場合には、高域のサブ情報が記録されるべき部分には、高域のメイン情報が無効となるような疑似高域サブ情報７３５が書き込まれ、実際の高域サブ情報は、高域メイン情報と共に暗号化されて、高域メイン情報の部分に書き込まれる。すなわち、元の高域メイン情報の領域には、暗号化された高域メイン情報７３３と暗号化された高域サブ情報７３４とが書き込まれる。
【００９８】従って、暗号を平文化する手段を持ち得ない受信者、あるいは、暗号を平文化する為の暗号鍵を持たない受信者は、低中域のデータ（０ｋＨｚ〜１１ｋＨｚ）のみ、復号が可能となる。この際、高域のメイン情報が暗号化されている為、前述の受信者には復号化の為の有意情報とはなり得ないが、高域のメイン情報を無効とする疑似高域サブ情報７３５の作用により、低中域情報の復号化に支障をきたす事が無い。また、この様に、本来あるはずの高域のデータが復号されない場合、理論的には図１におけるＱＭＦ回路２０１、２０２において帯域分割時に発生した折り返し雑音が合成時に打ち消されなくなるが、本具体例において折り返し雑音が復号化した音声情報の品質を著しく損なうことは無かった。
【００９９】また、図１４（Ｂ）に示す様に高域のみ暗号化された場合において、受信者が暗号の平文化の手段を持ち、且つ、暗号を平文化する為の暗号鍵を持つ場合には、図１４（Ｂ）に示す暗号化された部分に記録されているデータを平分化し、全ての帯域データの復号化が可能となる。
【０１００】以上の構成によれば、暗号を平分化する為の手段、あるいは平分化する為の暗号鍵を持たない受信者が、部分的にデータの復号化をした後、発信者に暗号を平分化する為の手段、あるいは平分化する為の暗号鍵を請求し入手した場合でも、改めて、暗号化された高能率符合化データを転送する事無しに、先に入手した部分的に暗号化された高能率符合化データを平文化し復号する事が可能である。
【０１０１】次に、図１４（Ｃ）は、中高域のデータを暗号化した場合を示し、元の高域メイン情報及び中域メイン情報の領域には、暗号化された高域メイン情報７３３、暗号化された高域サブ情報７３４、暗号化された中域メイン情報７２３、暗号化された中域サブ情報７２４がそれぞれ配置され、元の高域及び中域のサブ情報の領域には、疑似高域サブ情報７３５、疑似中域サブ情報７２５がそれぞれ配置されている。
【０１０２】この図１４の（Ｃ）の例のように、中高域のデータを暗号化した場合においても、前述の（Ｂ）の場合と同様な作用効果がある。加えて、この（Ｃ）に示すような構成では、中域データを暗号化する暗号鍵と高域データを暗号化する暗号鍵を異なるものとする事が可能で、この場合には、情報の発信者がより多くの選択肢、すなわち、一つの暗号化した高能率符合化データのみで、低域のみ符合化が可能、低中域の符合化が可能、全ての帯域の復号化が可能と言う選択を受信者に提供可能となる、あるいは、一つの暗号化した高能率符合化データのみで、受信者の所有する暗号を平分化する為の暗号鍵に応じて復号化した際の音声データの品質を指定して配送が可能となる。
【０１０３】さらに、図１４（Ｄ）に示す例では、全帯域のデータを暗号化しており、元のメイン情報の領域には、暗号化された高域メイン情報７３３、暗号化された高域サブ情報７３４、暗号化された中域メイン情報７２３、暗号化された中域サブ情報７２４、暗号化された低域メイン情報７１３、暗号化された低域サブ情報７１４がそれぞれ配置され、元の高域及び中域のサブ情報の領域には、疑似高域サブ情報７３５、疑似中域サブ情報７２５、疑似低域サブ情報７１５がそれぞれ配置されている。
【０１０４】この図１４（Ｄ）に示すような全帯域を暗号化する場合には、暗号を平文化する手段を持ち得ない受信者、あるいは、暗号を平文化する為の暗号鍵を持たない受信者は、復号化が不可能となる点が前述の場合と異なる点であるが、暗号化と高能率符合化における暗号鍵と音声データの復号化品質との組合せは、より多く得られる事となる。すなわち、一つの暗号化した高能率符合化データのみで、復号化が不可能、低域のみ符合化が可能、低中域の符合化が可能、全ての帯域の復号化が可能と言う選択を受信者に提供可能となる、あるいは、一つの暗号化した高能率符合化データのみで、受信者の所有する暗号を平分化する為の暗号鍵に応じて復号化した際の音声データの品質、あるいは復号化不可能を指定して配送が可能となる。」
　
（え）「【０１０９】次に、本発明に係る実施の形態となるディジタル信号復号装置及び方法の具体例について、図１５を参照しながら説明する。
【０１１０】図１５は、上記図１に示すディジタル信号符号化装置に対応するディジタル信号復号化装置の一例を示し、例えば図２におけるＡＴＣデコーダ７３として用いることができる。すなわち、図１５は、上述の図１のディジタル信号符号化装置により暗号化かつ、高能率符号化された信号を再び復号化するための復号回路を示している。
【０１１１】この図１５において、各帯域の量子化され、暗号化されたＭＤＣＴ係数ならびに、同様に暗号化された量子化の語長を示すワ−ドレングス、すなわち、図１における出力端子２１３、２１４、２１５の出力信号と等価のデータが、入力端子１１７、１１８、１１９を介して、暗号復号回路１０９、１１０、１１１に入力され、暗号化された直行変換のブロックサイズデータのが、入力端子１２０、１２１、１２２を介して、暗号復号回路１１２、１１３、１１４に入力される。」
　
（お）「【０１１４】再び、図１５において、入力端子１２３を介して、図１におけるシステムコントローラ５７より伝送されるいわゆる暗号復号の為の暗号鍵と復号化の為の情報、例えば、図１における適応ビット割当符合化回路２１０、２１１、２１２の出力がすべて同一の暗号鍵で暗号化されている、図１における適応ビット割当符合化回路２１０の出力のみ暗号化されている、図１における適応ビット割当符合化回路２１０、２１１、２１２の出力がすべて異なる暗号鍵で暗号化されている、或は、特定の復号用鍵を持つ暗号復号化回路にのみ、暗号の復号を許可されている等の情報と暗号鍵表１１６に記載されている図１におけるＡＴＣデコーダ７３に固有の暗号鍵データが暗号鍵制御回路１１５に入力されている。この暗号鍵制御回路１１５では、先の情報を元に各暗号復号回路１０９〜１１４に必要な暗号鍵を生成して伝送している。
【０１１５】ここで図１７は、図１５における暗号鍵制御回路１１５の一具体例の概略構成を示すブロック回路図である。この図１７を用いて暗号鍵制御回路の作用について説明する。
【０１１６】この図１７における入力端子９０１は、図１５における入力端子１２３に接続されており、図１におけるシステムコントローラ５７より伝送されるいわゆる暗号を復号する為の暗号鍵と暗号復号化の為の情報、例えば、図１における適応ビット割当符合化回路２１０、２１１、２１２の出力が全て同一の暗号鍵で暗号化されている、図１における適応ビット割当符合化回路２１０の出力のみ暗号化されている、図１における適応ビット割当符合化回路２１０、２１１、２１２の出力が全て異なる暗号鍵で暗号化されている、或は、特定の復号用鍵を持つ暗号復号化回路にのみ、暗号の復号を許可されている等の情報が入力される。この情報の中、いわゆる暗号鍵ならびに特定の復号用鍵を持つ暗号復号化回路にのみ、暗号の復号を許可されている等の情報は図１７における暗号鍵生成回路９０２、９０３、９０４に入力される。」
　
（か）「【０１１９】再び、図１５において、適応ビット割当復号化回路１０６、１０７、１０８では適応ビット割当情報を用いてビット割当を解除する。次に逆直交変換（ＩＭＤＣＴ）回路１０３、１０４、１０５では周波数軸上の信号が時間軸上の信号に変換される。これらの部分帯域の時間軸上信号は、帯域合成フィルタ（ＩＱＭＦ）回路１０２、１０１により、全帯域信号に復号化される。」
　
（き）「【０１２６】次に、図２０は、上述した図１５や図１９に示したディジタル信号復号化装置における復号化処理の手順を説明するためのフローチャートである。
【０１２７】この図２０において、最初のステップ２５２で復号化しようとするデータ（符号化ディジタル信号）の読み込みを行い、次のステップ２５３で、復号化すべきデータの有無の判別を行う。復号化すべきデータが有り（ＹES）の場合には、ステップ２５４に進み、無し（ＮＯ）の場合には処理を終了する。ステップ２５４では、サブデータの有意性の判別を行い、サブデータが有意（ＹES）の場合には暗号化されていないことから、ステップ２５９以降の伸長復号化処理、すなわち情報圧縮の逆処理に相当する伸長処理を行う。ステップ２５４でＮＯ、すなわちサブデータが有意でないと判別されたときには、ステップ２５５に進んで、暗号復号化のための暗号鍵の有無を判別する。ステップ２５５でＮＯ、すなわち暗号鍵が無いと判別された場合、該当するデータの復号化は不可能であるため、時間的に次のブロックの復号化のために、上記ステップ２５２に戻る。一方、暗号鍵があるＹESの場合には、ステップ２５６に進み、暗号鍵を読み込んで、次のステップ２５７により暗号復号を行う。次にステップ２５８により、上記図１４のメイン領域の内の暗号化領域の部分に埋め込まれていたサブデータ（サブ情報）を復元し、圧縮符号化に対する伸長が可能なデータとし、ステップ２５９に進む。ステップ２５９では、先に述べたように、サブデータが有意の場合、すなわち該当ブロックが暗号化されていない場合と、上記ステップ２５５〜２５８により暗号を復号化された場合とについて、圧縮データの伸長を行い、ステップ２６０において伸長データの出力を行う。データ出力が終了すると、時間的に次のブロックの復号化を行うためにステップ２５２に戻る。」
　
（く）「【０１２９】すなわち、本発明に係る実施の形態となるディジタル信号符号化装置及び／又は復号化装置は、入力信号を時間と周波数について細分化した小ブロックに分配し、圧縮する手段と、周波数について細分化した小ブロック毎に独立して暗号化する手段を有し、周波数について細分化し、圧縮された小ブロック毎に独立して暗号化し、同一の圧縮暗号化情報で複数の暗号復号伸長状態を再現する手段を有するものである。」
　
　
　
　上記（あ）の「【００１０】本発明は、このような実情に鑑みてなされたものであり、暗号化の範囲を全体あるいは部分的に選択が可能なディジタルオーディオデータの圧縮の手法を適用し、暗号化されていない情報の添付なしに選択的な復号化を可能とすると共に、異なる品質の情報を効率良く配布可能とし、且つ、複数の暗号化に対して同一の復号化装置で対応が可能なディジタル信号符号化装置及び方法、復号化装置及び方法、記録媒体、並びに伝送方法の提供を目的とするものである。」の記載と
　上記（う）の「【００９４】次に、図１４に本実施の形態で高能率符合化ならびに暗号化処理を行った後のビットストリームの具体例を示す。　・・・・・（中略）・・・・・　【００９６】図１４（Ａ）に示す様に、暗号化を行わず全て平文とした場合、低中高各々の直交変換出力スペクトルを量子化処理した、いわゆるメインデ−タと、量子化の語長を示すワ−ドレングスと直行変換のブロックサイズ等を表す、いわゆるサブ情報とが記録あるいは伝送される。すなわち、メイン情報としては、低域メイン情報７１１、中域メイン情報７２１、高域メイン情報７３１があり、サブ情報としては、低域サブ情報７１２、中域サブ情報７２２、高域サブ情報７３２がある。この（Ａ）の場合、復号化する際は、該当帯域のサブデータを用いて、後述のデコーダでの手順にしたがって該当帯域のメイン情報を復号化する。
　・・・・・（中略）・・・・・　
【０１０３】さらに、図１４（Ｄ）に示す例では、全帯域のデータを暗号化しており、元のメイン情報の領域には、暗号化された高域メイン情報７３３、暗号化された高域サブ情報７３４、暗号化された中域メイン情報７２３、暗号化された中域サブ情報７２４、暗号化された低域メイン情報７１３、暗号化された低域サブ情報７１４がそれぞれ配置され、元の高域及び中域のサブ情報の領域には、疑似高域サブ情報７３５、疑似中域サブ情報７２５、疑似低域サブ情報７１５がそれぞれ配置されている。
【０１０４】この図１４（Ｄ）に示すような全帯域を暗号化する場合には、暗号を平文化する手段を持ち得ない受信者、あるいは、暗号を平文化する為の暗号鍵を持たない受信者は、復号化が不可能となる点が前述の場合と異なる点であるが、暗号化と高能率符合化における暗号鍵と音声データの復号化品質との組合せは、より多く得られる事となる。すなわち、一つの暗号化した高能率符合化データのみで、復号化が不可能、低域のみ符合化が可能、低中域の符合化が可能、全ての帯域の復号化が可能と言う選択を受信者に提供可能となる、あるいは、一つの暗号化した高能率符合化データのみで、受信者の所有する暗号を平分化する為の暗号鍵に応じて復号化した際の音声データの品質、あるいは復号化不可能を指定して配送が可能となる。」の記載からすると、
　引用文献１には、ディジタルオーディオデータの低中高の直交変換出力スペクトルを量子化処理したメイン情報および量子化の語長を示すワ−ドレングスと直交変換（引用文献１には「直行変換」と記載されているが、直交変換の誤記と認められる。）のブロックサイズ等を表すサブ情報からなるビットストリームであって、該ビットストリームのメイン情報の領域にそれぞれ配置された、暗号化された低域メイン情報および暗号化された低域サブ情報、暗号化された中域メイン情報および暗号化された中域サブ情報、暗号化された高域メイン情報および暗号化された高域サブ情報は、受信者の所有する暗号を平文化（引用文献１には「平分化」と記載されているが、平文化の誤記と認められる。）する為の暗号鍵に応じて復号化した際の音声データの品質、あるいは復号化不可能を指定して配送が可能なものが記載されている。
　
　そして、上記（く）「【０１２９】すなわち、本発明に係る実施の形態となるディジタル信号符号化装置及び／又は復号化装置は、入力信号を時間と周波数について細分化した小ブロックに分配し、圧縮する手段と、周波数について細分化した小ブロック毎に独立して暗号化する手段を有し、周波数について細分化し、圧縮された小ブロック毎に独立して暗号化し、同一の圧縮暗号化情報で複数の暗号復号伸長状態を再現する手段を有するものである。」の記載からすると、
　周波数について細分化した小ブロックは、圧縮された小ブロック毎に独立して暗号化されていることから、暗号化された圧縮された小ブロックは、暗号化された圧縮された小ブロック毎に独立して暗号復号伸長状態を再現されるものであることは明らかである。
　そうすると、暗号化された低域メイン情報および暗号化された低域サブ情報、暗号化された中域メイン情報および暗号化された中域サブ情報、暗号化された高域メイン情報および暗号化された高域サブ情報は、それぞれ暗号化された圧縮された小ブロックであって、
　暗号化された低域メイン情報および暗号化された低域サブ情報、暗号化された中域メイン情報および暗号化された中域サブ情報、暗号化された高域メイン情報および暗号化された高域サブ情報毎に独立して暗号化されていることから、
　暗号化された低域メイン情報および暗号化された低域サブ情報、暗号化された中域メイン情報および暗号化された中域サブ情報、暗号化された高域メイン情報および暗号化された高域サブ情報毎に独立して暗号復号伸長状態を再現されるものであることは明らかである。
　よって、ビットストリームのメイン情報の領域にそれぞれ配置される、暗号化された低域メイン情報および暗号化された低域サブ情報、暗号化された中域メイン情報および暗号化された中域サブ情報、暗号化された高域メイン情報および暗号化された高域サブ情報は、それぞれ独立して暗号復号伸長状態を再現されるものであって、受信者の所有する暗号を平文化する為の暗号鍵に応じて復号化した際の音声データの品質、あるいは復号化不可能を指定して配送が可能なものであるから、
　低中高のいずれのメイン情報およびサブ情報が選択されても当該選択されたメイン情報およびサブ情報のみで再生が可能であるような暗号化された低域メイン情報および暗号化された低域サブ情報、暗号化された中域メイン情報および暗号化された中域サブ情報、暗号化された高域メイン情報および暗号化された高域サブ情報であると認められる。
　したがって、引用文献１には、ディジタルオーディオデータの低中高の直交変換出力スペクトルを量子化処理したメイン情報および量子化の語長を示すワ−ドレングスと直交変換のブロックサイズ等を表すサブ情報からなるビットストリームであって、該ビットストリームのメイン情報の領域にそれぞれ配置された、低中高のいずれのメイン情報およびサブ情報が選択されても当該選択されたメイン情報およびサブ情報のみで再生が可能であるような暗号化された低域メイン情報および暗号化された低域サブ情報、暗号化された中域メイン情報および暗号化された中域サブ情報、暗号化された高域メイン情報および暗号化された高域サブ情報が記載されている。
　
　上記（え）の「【０１１０】図１５は、上記図１に示すディジタル信号符号化装置に対応するディジタル信号復号化装置の一例を示し、例えば図２におけるＡＴＣデコーダ７３として用いることができる。すなわち、図１５は、上述の図１のディジタル信号符号化装置により暗号化かつ、高能率符号化された信号を再び復号化するための復号回路を示している。」の記載と、
　上記（う）の「【０１０４】この図１４（Ｄ）に示すような全帯域を暗号化する場合には、暗号を平文化する手段を持ち得ない受信者、あるいは、暗号を平文化する為の暗号鍵を持たない受信者は、復号化が不可能となる点が前述の場合と異なる点であるが、暗号化と高能率符合化における暗号鍵と音声データの復号化品質との組合せは、より多く得られる事となる。すなわち、一つの暗号化した高能率符合化データのみで、復号化が不可能、低域のみ符合化が可能、低中域の符合化が可能、全ての帯域の復号化が可能と言う選択を受信者に提供可能となる、あるいは、一つの暗号化した高能率符合化データのみで、受信者の所有する暗号を平分化する為の暗号鍵に応じて復号化した際の音声データの品質、あるいは復号化不可能を指定して配送が可能となる。」の記載からすると、
　引用文献１には、暗号鍵を持つか持たないかに応じて復号化した際の音声データの品質の指定が可能な信号を復号化するディジタル信号復号化装置が記載されている。
　
　上記（え）の「【０１１０】図１５は、上記図１に示すディジタル信号符号化装置に対応するディジタル信号復号化装置の一例を示し、例えば図２におけるＡＴＣデコーダ７３として用いることができる。すなわち、図１５は、上述の図１のディジタル信号符号化装置により暗号化かつ、高能率符号化された信号を再び復号化するための復号回路を示している。
【０１１１】この図１５において、各帯域の量子化され、暗号化されたＭＤＣＴ係数ならびに、同様に暗号化された量子化の語長を示すワ−ドレングス、すなわち、図１における出力端子２１３、２１４、２１５の出力信号と等価のデータが、入力端子１１７、１１８、１１９を介して、暗号復号回路１０９、１１０、１１１に入力され、暗号化された直行変換のブロックサイズデータのが、入力端子１２０、１２１、１２２を介して、暗号復号回路１１２、１１３、１１４に入力される。」の記載と、
　上記（い）の「【００８２】再び図１において、暗号化回路２１９は適応ビット割当符合化回路２１０より伝送される直行変換されたスペクトルないし、ＭＤＣＴ処理された係数を量子化したデータと量子化の語長を示すワードレングスを暗号鍵制御回路２２２より伝送される暗号化の為のデータ、いわゆる暗号鍵を用いて暗号化し、出力端子２１３に出力している。
【００８３】暗号化回路２２３はブロック決定回路２０６より伝送される直行変換のブロックサイズ情報を暗号鍵制御回路２２２より伝送される暗号化の為のデータ、いわゆる暗号鍵を用いて暗号化し、出力端子２１６に出力している。」の記載と、
　上記（お）の「【０１１４】再び、図１５において、入力端子１２３を介して、図１におけるシステムコントローラ５７より伝送されるいわゆる暗号復号の為の暗号鍵と復号化の為の情報、例えば、　・・・・・（中略）・・・・・　が暗号鍵制御回路１１５に入力されている。この暗号鍵制御回路１１５では、先の情報を元に各暗号復号回路１０９〜１１４に必要な暗号鍵を生成して伝送している。」の記載と、
　上記（き）の「一方、暗号鍵があるＹESの場合には、ステップ２５６に進み、暗号鍵を読み込んで、次のステップ２５７により暗号復号を行う。」の記載からすると、
　引用文献１に記載されたディジタル信号符号化装置により暗号化かつ、高能率符号化された信号を復号化するためのディジタル信号復号化装置は、暗号化された直行変換されたスペクトルないし、ＭＤＣＴ処理された係数を量子化したデータと量子化の語長を示すワードレングス、暗号化された直行変換のブロックサイズ情報が入力端子を介して入力される暗号復号回路と、暗号復号の為の暗号鍵と復号化の為の情報を元に各暗号復号回路に必要な暗号鍵を生成して伝送する暗号鍵制御回路とを含むものであって、
　暗号復号回路は、暗号化された直行変換されたスペクトルないし、ＭＤＣＴ処理された係数を量子化したデータと量子化の語長を示すワードレングス、暗号化された直行変換のブロックサイズ情報が入力端子を介して入力され、暗号復号の為の暗号鍵と復号化の為の情報を元に生成される暗号鍵が伝送されて、各帯域の量子化され、暗号化されたＭＤＣＴ係数ならびに、同様に暗号化された量子化の語長を示すワ−ドレングス、暗号化された直行変換のブロックサイズ情報を復号するものである。
　
　そして、上記（き）の「【０１２６】次に、図２０は、上述した図１５や図１９に示したディジタル信号復号化装置における復号化処理の手順を説明するためのフローチャートである。
【０１２７】この図２０において、最初のステップ２５２で復号化しようとするデータ（符号化ディジタル信号）の読み込みを行い、次のステップ２５３で、復号化すべきデータの有無の判別を行う。」の記載からすると、
　引用文献１に記載されたディジタル信号復号化装置は復号化処理において、復号化しようとするデータ（符号化ディジタル信号）の読み込みを行っていることから、
　該復号化処理において、ディジタル信号復号化装置の暗号復号回路には、暗号化された直行変換されたスペクトルないし、ＭＤＣＴ処理された係数を量子化したデータと量子化の語長を示すワードレングス、暗号化された直行変換のブロックサイズ情報として、
　ビットストリームのメイン情報の領域にそれぞれ配置された、暗号化された低域メイン情報、暗号化された中域メイン情報、暗号化された高域メイン情報および暗号化された低域サブ情報、暗号化された中域サブ情報、暗号化された高域サブ情報が、入力端子を介して入力されることは明らかである。
　さらに、上記（き）の「暗号復号化のための暗号鍵の有無を判別する。ステップ２５５でＮＯ、すなわち暗号鍵が無いと判別された場合、該当するデータの復号化は不可能であるため、時間的に次のブロックの復号化のために、上記ステップ２５２に戻る。一方、暗号鍵があるＹESの場合には、ステップ２５６に進み、暗号鍵を読み込んで、次のステップ２５７により暗号復号を行う。」の記載からすると、
　暗号復号回路は、暗号鍵が無い場合には、該当するデータの復号化は不可能とし、暗号鍵がある場合には、暗号鍵を読み込んで該当するデータの暗号復号を行うものである。
　したがって、引用文献１に記載されたディジタル信号復号化装置は、ビットストリームのメイン情報の領域にそれぞれ配置された、暗号化された低域メイン情報、暗号化された中域メイン情報、暗号化された高域メイン情報および暗号化された低域サブ情報、暗号化された中域サブ情報、暗号化された高域サブ情報が、入力端子を介して入力され、暗号復号の為の暗号鍵と復号化の為の情報を元に生成される暗号鍵が伝送されて、暗号鍵が無い場合には、該当するデータの復号化は不可能とし、暗号鍵がある場合には、暗号鍵を読み込んで該当するデータの暗号復号を行って、暗号化された低域メイン情報、暗号化された中域メイン情報、暗号化された高域メイン情報および暗号化された低域サブ情報、暗号化された中域サブ情報、暗号化された高域サブ情報を復号する暗号復号手段を備えるものである。
　
　上記（か）の「【０１１９】再び、図１５において、適応ビット割当復号化回路１０６、１０７、１０８では適応ビット割当情報を用いてビット割当を解除する。次に逆直交変換（ＩＭＤＣＴ）回路１０３、１０４、１０５では周波数軸上の信号が時間軸上の信号に変換される。これらの部分帯域の時間軸上信号は、帯域合成フィルタ（ＩＱＭＦ）回路１０２、１０１により、全帯域信号に復号化される。」の記載からすると、ディジタル信号復号化装置の適応ビット割当復号化回路、逆直交変換（ＩＭＤＣＴ）回路および帯域合成フィルタ（ＩＱＭＦ）回路は、ディジタルオーディオデータの復号化をしていることは明らかであるから、引用文献１はディジタルオーディオデータ復元手段を備えるものである。
　そして、上記（き）の「ステップ２５５に進んで、暗号復号化のための暗号鍵の有無を判別する。ステップ２５５でＮＯ、すなわち暗号鍵が無いと判別された場合、該当するデータの復号化は不可能であるため、時間的に次のブロックの復号化のために、上記ステップ２５２に戻る。一方、暗号鍵があるＹESの場合には、ステップ２５６に進み、暗号鍵を読み込んで、次のステップ２５７により暗号復号を行う。次にステップ２５８により、上記図１４のメイン領域の内の暗号化領域の部分に埋め込まれていたサブデータ（サブ情報）を復元し、圧縮符号化に対する伸長が可能なデータとし、ステップ２５９に進む。ステップ２５９では、先に述べたように、サブデータが有意の場合、すなわち該当ブロックが暗号化されていない場合と、上記ステップ２５５〜２５８により暗号を復号化された場合とについて、圧縮データの伸長を行い、ステップ２６０において伸長データの出力を行う。」の記載と
　上記（う）の「【００９８】従って、暗号を平文化する手段を持ち得ない受信者、あるいは、暗号を平文化する為の暗号鍵を持たない受信者は、低中域のデータ（０ｋＨｚ〜１１ｋＨｚ）のみ、復号が可能となる。この際、高域のメイン情報が暗号化されている為、前述の受信者には復号化の為の有意情報とはなり得ないが、高域のメイン情報を無効とする疑似高域サブ情報７３５の作用により、低中域情報の復号化に支障をきたす事が無い。また、この様に、本来あるはずの高域のデータが復号されない場合、理論的には図１におけるＱＭＦ回路２０１、２０２において帯域分割時に発生した折り返し雑音が合成時に打ち消されなくなるが、本具体例において折り返し雑音が復号化した音声情報の品質を著しく損なうことは無かった。」の記載からすると、
　引用文献１のディジタルオーディオデータ復元手段は、暗号鍵が無い場合には、該当するデータの復号化は不可能として該当するメイン情報を無効とし、暗号鍵がある場合には、暗号鍵を読み込んで該当するデータの暗号復号を行って、メイン領域の内の暗号化されたサブ情報を復元し、圧縮符号化に対する伸長が可能なデータとし、暗号を復号化された場合について、圧縮データの伸長を行って伸長データの出力を行うものである。
　
　そして、引用文献１において、高域のメイン情報が無効にされた結果、高域のデータは復号されず、高域の適応ビット割当復号回路は復号データを出力しないこと、低中域のデータは復号されること、各帯域の復号されたデータを逆直交変換して合成すると、音質は著しくは劣化しないが、本来あるはずの高域の復号データがないため、前記合成時に打ち消されるはずの折り返し雑音が打ち消されない音声信号が出力されることは明らかである。
　したがって、引用文献１のディジタルオーディオデータ復元手段においても、特定の帯域のデータが無効とされた結果、無効とされた帯域のデータが復号されず、無効とされた帯域のデータを欠いた信号が再生されていると認められる。
　したがって、引用文献１のディジタルオーディオデータ復元手段は、暗号鍵が無い場合には、該当するデータの復号化は不可能として該当するメイン情報を無効とし、該当する帯域のデータが無効とされた結果、無効とされた帯域のデータが復号されず、無効とされた帯域のデータを欠いた伸長データの出力を行い、暗号鍵がある場合には、暗号鍵を読み込んで該当するデータの暗号復号を行って、メイン領域の内の暗号化されたサブ情報を復元し、圧縮符号化に対する伸長が可能なデータとし、暗号を復号化された場合について、圧縮データの伸長を行って伸長データの出力を行うものである。
　
　
　以上より、上記（あ）〜（く）の記載、及び、図１，図１４，図１５，図２０を参酌すると、引用文献１には、次の発明（以下、「引用発明」という。）が記載されているものと認められる。  
　
　ディジタルオーディオデータの低中高の直交変換出力スペクトルを量子化処理したメイン情報および量子化の語長を示すワ−ドレングスと直交変換のブロックサイズ等を表すサブ情報からなるビットストリームであって、該ビットストリームのメイン情報の領域にそれぞれ配置された、低中高のいずれのメイン情報およびサブ情報が選択されても当該選択されたメイン情報およびサブ情報のみで再生が可能であるような暗号化された低域メイン情報および暗号化された低域サブ情報、暗号化された中域メイン情報および暗号化された中域サブ情報、暗号化された高域メイン情報および暗号化された高域サブ情報が、入力端子を介して入力され、暗号復号の為の暗号鍵と復号化の為の情報を元に生成される暗号鍵が伝送されて、暗号鍵が無い場合には、該当するデータの復号化は不可能とし、暗号鍵がある場合には、暗号鍵を読み込んで該当するデータの暗号復号を行って、暗号化された低域メイン情報および暗号化された低域サブ情報、暗号化された中域メイン情報および暗号化された中域サブ情報、暗号化された高域メイン情報および暗号化された高域サブ情報を復号する暗号復号手段と、
　暗号鍵が無い場合には、該当するデータの復号化は不可能として該当するメイン情報を無効とし、該当する帯域のデータが無効とされた結果、無効とされた帯域のデータが復号されず、無効とされた帯域のデータを欠いた伸長データの出力を行い、暗号鍵がある場合には、暗号鍵を読み込んで該当するデータの暗号復号を行って、メイン領域の内の暗号化されたサブ情報を復元し、圧縮符号化に対する伸長が可能なデータとし、暗号を復号化された場合について、圧縮データの伸長を行って伸長データの出力を行うディジタルオーディオデータ復元手段と、を備えることを特徴とする暗号鍵を持つか持たないかに応じて復号化した際の音声データの品質の指定が可能な信号を復号化するディジタル信号復号化装置。
　
　
４．対比  
　ここで、本願発明と引用発明とを対比する。 
　
　引用発明の「暗号鍵を持つか持たないかに応じて復号化した際の音声データの品質の指定が可能な信号を復号化するディジタル信号復号化装置」は、
　本願発明の「可変品質データ再生装置」に相当する。
　
　また、引用発明の「ディジタルオーディオデータの低中高の直交変換出力スペクトルを量子化処理したメイン情報および量子化の語長を示すワ−ドレングスと直交変換のブロックサイズ等を表すサブ情報からなるビットストリーム」は、
　本願発明の「コンテンツのスペクトルを帯域別に表す複数の部分データ」に相当する。
　
　また、引用発明の暗号復号手段は「ビットストリームのメイン情報の領域にそれぞれ配置された、低中高のいずれのメイン情報およびサブ情報が選択されても当該選択されたメイン情報およびサブ情報のみで再生が可能であるような暗号化された低域メイン情報および暗号化された低域サブ情報、暗号化された中域メイン情報および暗号化された中域サブ情報、暗号化された高域メイン情報および暗号化された高域サブ情報が、入力端子を介して入力」されるものであり、
　本願発明の復号化手段は「１個以上のいずれの部分データが選択されても当該選択された部分データのみで再生が可能であるような複数の部分データを所定の順序で取得し」ているものであることから、
　引用発明の暗号復号手段と、本願発明の復号化手段とは、１個以上のいずれの部分データが選択されても当該選択された部分データのみで再生が可能であるような複数の部分データを取得する復号手段である点で共通している。
　
　また、引用発明の暗号復号手段は「暗号復号の為の暗号鍵と復号化の為の情報を元に生成される暗号鍵が伝送されて、暗号鍵が無い場合には、該当するデータの復号化は不可能とし、暗号鍵がある場合には、暗号鍵を読み込んで該当するデータの暗号復号を行って、暗号化された低域メイン情報および暗号化された低域サブ情報、暗号化された中域メイン情報および暗号化された中域サブ情報、暗号化された高域メイン情報および暗号化された高域サブ情報を復号する」ものであって、
　暗号鍵が伝送されたとき当該暗号鍵を読み込んで、該当する低中高域の暗号化されたメイン情報およびサブ情報を、当該暗号鍵を用いて暗号復号をしていることから、
　引用発明の暗号復号手段は、本願発明の復号化手段の「各該部分データのうち少なくともいずれかに対応付けられた復号化キーが供給されたとき当該復号化キーを取得して、取得した部分データのうち、取得した復号化キーに対応付けられた各暗号化された部分データを、当該復号化キーを用いて復号化する」構成を含むものである。
　
　また、引用発明のディジタルオーディオデータ復元手段は「暗号鍵が無い場合には、該当するデータの復号化は不可能として該当するメイン情報を無効とし、該当する帯域のデータが無効とされた結果、無効とされた帯域のデータが復号されず、無効とされた帯域のデータを欠いた伸長データの出力を行い、暗号鍵がある場合には、暗号鍵を読み込んで該当するデータの暗号復号を行って、メイン領域の内の暗号化されたサブ情報を復元し、圧縮符号化に対する伸長が可能なデータとし、暗号を復号化された場合について、圧縮データの伸長を行って伸長データの出力を行う」ことからすると、
　復号化されたメイン情報およびサブ情報に基づき、復号化されたメイン情報およびサブ情報が表す直交変換出力スペクトルを有し且つ復号化が不可能なメイン情報およびサブ情報が表す直交変換出力スペクトルが実質的に欠けた伸長データを生成することにより、低中高域の暗号化されたメイン情報およびサブ情報のうち復号化されたメイン情報およびサブ情報が表す部分を表す伸長データを生成するものである。
　したがって、引用発明のディジタルオーディオデータ復元手段は、本願発明の「復号化された前記部分データに基づき、復号化された当該部分データが表すスペクトルを有し且つ前記復号化されなかった部分データが表すスペクトルが実質的に欠けた前記コンテンツを表すデータを生成することにより、前記コンテンツのうち復号化された部分データが表す部分を表すデータを生成するデータ復元手段」に相当する構成を含むものである。
　
　
　よって、本願発明と引用発明とは、以下の点で一致し、また、相違している。
　
（一致点）
　コンテンツのスペクトルを帯域別に表す複数の部分データであって、１個以上のいずれの部分データが選択されても当該選択された部分データのみで再生が可能であるような複数の部分データを取得し、各該部分データのうち少なくともいずれかに対応付けられた復号化キーが供給されたとき当該復号化キーを取得して、取得した部分データのうち、取得した復号化キーに対応付けられた各暗号化された部分データを、当該復号化キーを用いて復号化する復号手段と、
　復号化された前記部分データに基づき、復号化された当該部分データが表すスペクトルを有し且つ前記復号化されなかった部分データが表すスペクトルが実質的に欠けた前記コンテンツを表すデータを生成することにより、前記コンテンツのうち復号化された部分データが表す部分を表すデータを生成するデータ復元手段と、を備える、
　ことを特徴とする可変品質データ再生装置。
　
（相違点）
　本願発明の復号化手段は、１個以上のいずれの部分データが選択されても当該選択された部分データのみで再生が可能であるような複数の部分データを
所定の順序で取得
　引用発明の暗号復号手段は、ビットストリームのメイン情報の領域にそれぞれ配置された、低中高のいずれのメイン情報およびサブ情報が選択されても当該選択されたメイン情報およびサブ情報のみで再生が可能であるような暗号化された低域メイン情報および暗号化された低域サブ情報、暗号化された中域メイン情報および暗号化された中域サブ情報、暗号化された高域メイン情報および暗号化された高域サブ情報が、入力端子を介して入力されるものであって、
　ビットストリームのメイン情報の領域にそれぞれ配置された、低中高のいずれのメイン情報およびサブ情報が選択されても当該選択されたメイン情報およびサブ情報のみで再生が可能であるような暗号化された低域メイン情報および暗号化された低域サブ情報、暗号化された中域メイン情報および暗号化された中域サブ情報、暗号化された高域メイン情報および暗号化された高域サブ情報が、
所定の順序で入力
　
　
５．判断
　上記相違点について検討する。
　本願出願日前である１９８６年５月１６日に頒布された刊行物である特開昭６１−９８０３５号公報に、
「第２図に示すように、ＱＭＦフィルタバンク１０２の帯域１出力は従来の３ビットＡＤＰＣＭ符号器１０４へ与えられる。帯域２の出力は従来の２ビットＡＤＰＣＭ符号器１０６により処理される。ＱＭＦフィルタ１０２の帯域３出力は従来の２−ビットＡＤＰＣＭ符号器１０８により処理される。しかし、ＱＭＦフィルタ１０２からの帯域４出力はＢＣＰＣＭ符号器１１０へ与えられて、副帯域符号器をハイブリッドＡＤＰＣＭ／ＢＣＰＣＭ型にする。　・・・・・（中略）・・・・・
　第２図に示されている多重化機能１１２は符号器１０４，１０６，１０８，１１０からの直列ビット系列を受け、それを１つの直列出力ビット系列に変換してから、デジタル通信チャネルを介して送る。
　典型的には、符号化処理装置１０４〜１１０からの直列出力を単に緩衝し、それからそれらの出力を１つの直列ビット系列として出力するために所定の順序でまとめることにより、多重化機能１１２はＤＳＰ２４において実現される。
　・・・・・（中略）・・・・・
　第２図に示されている受信機部は、多重化機能１１２によりもともと発生された直列ビット系列に類似する直列ビット系列を最終的に受ける。たとえば、第６図に示すように、受信機の弁別器から来た直列ビット系列は振幅制限回路３６を通って振幅制限されてから、　・・・・・（中略）・・・・・　、その平文にされた直列ビット系列を緩衝し、アンパックして（すなわち、第２図の機能１１４により示されているようにデマルチプレックスされる）、復号すべき帯域１〜４の各帯域に対して適切な直列ビット系列を発生する。」（第１７頁右下欄第１２行〜第１８頁右上欄第１６行参照）の記載および第２図に記載されているように、
　帯域１〜４の直列出力を所定の順序でまとめることにより、１つの直列ビット系列とした出力を、受信機部が受けることは周知技術である。
　したがって、引用発明の暗号復号手段において、ビットストリームのメイン情報の領域にそれぞれ配置された、低域メイン情報、暗号化された中域メイン情報、暗号化された高域メイン情報および暗号化された低域サブ情報、暗号化された中域サブ情報、暗号化された高域サブ情報を所定の順序でまとめることにより、１つのビットストリームとした出力を、ディジタル信号復号化装置の入力端子を介して入力するようにすることは、当業者が容易に想到し得たことである。
　よって、相違点は格別なものではない。
　
　
　上記で検討したごとく、上記相違点は格別のものではなく、そして、本願発明の構成によってもたらされる効果も、当業者であれば予測可能なものに過ぎず格別なものとは認められない。 
　
　
６．むすび 
　以上のとおり、本願発明は、上記引用発明及び上記周知技術に基づいて、当業者が容易に発明をすることができたものであるから、特許法第２９条第２項の規定により特許を受けることができない。 
　よって、結論のとおり審決する。